(57)【要約】【課題】本発明は、スピーカから出る出力音量を確実に制御でき、しかも、マイク孔位置に対する放音孔の相対間隔を調整可能にすることにより、ハウリングの発生を防止できるハンズフリー通話装置を提供することを課題とする【解決手段】スピーカの放音孔の開口面積や開口位置を、回動、摺動、あるいは枢動操作できる開閉制御板で調整したり、着脱自在な閉塞子で任意の放音孔を塞いで調整することにより、スピーカからでる出力音量や音質、あるいはハウリング特性を制御できるようにする。【選択図】図１
2006157587.tif 000002
【特許請求の範囲】
【請求項１】
スピーカとマイクを相互に間隔をおいて固定した通話プレートを備え、前記通話プレートには、前記スピーカの前面に対向する部分を放音孔として開口するとともに、前記放音孔を開閉できる開閉調整板を儲け、前記開閉調整板を開閉することにより、前記放音孔の開口面積を可変し、通過する放音量を調節できるようにしたことを特徴とするハンズフリー通話装置。 
【請求項２】
前記開閉調整板は、前記通話プレートに回動自在または摺動自在または枢動自在に取付け、該開閉調整板を回動または摺動または枢動させることにより、前記スピーカの放音孔の開口面積および、マイク孔位置に対する放音孔位置の相対間隔を可変し、通過する放音量の調節と、ハウリング特性を調整できるようにしたことを特徴とする請求項１記載のハンズフリー通話装置。
【請求項３】
スピーカとマイクを相互に間隔をおいて固定した通話プレートを備え、前記通話プレートには、前記スピーカの前面に対向する部分に複数の放音孔を開口し、任意の前記放音孔を着脱自在な閉塞子で閉塞することにより、開口する前記放音孔数を可変し、通過する音量を調節できるようにしたことを特徴とするハンズフリー通話装置。
【発明の詳細な説明】
【技術分野】
【０００１】
本発明は、放音口の開口面積と、マイク孔位置に対する放音孔の相対間隔とを可変することにより、音量、音質を調整するとともに、ハウリングを防止できるハンズフリー形の通話装置に関する。
【背景技術】
【０００２】
従来から、ハンズフリーインターホンにおいては、スピーカからマイクへの音声の回り込みを防止する方法が種々提案されている。
【０００３】
【特許文献１】・・・・特開平７−１８３９５８
【特許文献２】・・・・特開２０００−２８６９８３
【特許文献３】・・・・
【０００４】
たとえば、特許文献１には、スピーカからマイクへの音声の回り込みをディジタル処理でキャンセリングするキャンセリング部を有するハンズフリーインターホンシステムが記載されている。
【０００５】
また、特許文献２には、スピーカに出力される受話信号レベルを検出し、音声受話レベルを自動的に可変することにより、ハウリング調整ができるようにした集合住宅インターホン装置が記載されている。
【発明の開示】
【発明が解決しようとする課題】
【０００６】
前記した特許文献１、特許文献２に記載の発明は、いずれも、エコーキャンセル回路や音量の自動制御回路など、複雑な電気的制御回路や制御ロジックを必要とし、周囲近傍の騒音のレベルやスピーカとマイクの位置条件、部屋環境、ねじの締め付け方で変わる筐体の剛性など不安定な音響条件に左右され、十分な制御効果を得るのは困難であった。
【０００７】
本発明は、これらの公知例とは異なり、スピーカから出る出力音量を確実に制御でき、しかも、マイク孔位置に対する放音孔の相対間隔を調整可能にすることにより、ハウリングの発生を防止できるハンズフリー通話装置を提供することを課題とする。
【課題を解決するための手段】
【０００８】
請求項１記載の発明は、スピーカとマイクを相互に間隔をおいて固定した通話プレートを備え、前記通話プレートには、前記スピーカの前面に対向する部分を放音孔として開口するとともに、前記放音孔を開閉できる開閉調整板を儲け、前記開閉調整板を開閉することにより、前記放音孔の開口面積を可変し、通過する放音量を調節できるようにしたことを特徴とするものである。
【０００９】
請求項２記載の発明は、開閉調整板を回動または摺動または枢動させることにより、前記スピーカの放音孔の開口面積および、マイク孔位置に対する放音孔位置の相対間隔を可変し、通過する放音量の調節と、ハウリング特性を調整できるようにしたことを特徴とするものである。
【００１０】
請求項３記載の発明は、スピーカの前面に開口した複数の放音孔のうち、任意の放音孔を、着脱自在な閉塞子で塞ぎ、通過する放音量を調節できるようにしたことを特徴とするものである。
【発明の効果】
【００１１】
請求項１記載の発明によれば、開閉調整板の操作することにより、スピーカの放音孔の開口面積を調整できるので、スピーカから出る音量が適切な大きさになるように簡単、確実に設定できる。
【００１２】
また、請求項２記載の発明によれば、開閉調整板の回動または摺動または枢動操作で、放音孔の開口面積のほかに、マイク孔位置に対する放音孔の相対間隔を調節できるので、調節操作は極めて簡便であり、通話に必要な音量に簡単に設定でき、ハウリングを容易に防止できる。
【００１３】
また、請求項３記載の発明によれば、複数の放音孔に関し、個別に閉塞子で塞ぐことができるので、周囲の音響環境、騒音環境に応じ、ハウリング特性に関する微妙な調整が可能である。
【発明を実施するための最良の形態】
【００１４】
図１は、本発明の１実施例におけるハンズフリー通話装置の外観図である。
【００１５】
図示の例は、病院等に設置されるナースコールインターホンシステムにおいて、病室に設置される患者用のハンズフリー通話装置の例である。
【００１６】
図において、１は、病室の壁面に固定される器具用プレートであり、２は、送話用のマイク孔、３は、呼出ボタンである。４は、呼出確灯であり、呼出ボタン３を押すと点灯し、呼出中であることを表示する。
【００１７】
５はプレート１の内部に固定されるスピーカであり、スピーカ５の前面には、把手７を有する円形の開閉調整板６が回動自在にプレート１に固定されている。
【００１８】
プレート１には、スピーカの前面に対抗する部分に円周上に複数の放音孔８が設けられている。
【００１９】
また、この放音孔８をカバーするように取り付けられている開閉調整板６は、円周上に複数の透音孔９が設けられており、図示の状態では、プレート１側の放音孔８の位置と開閉調整板１の透音孔９の位置が合致しているため、スピーカ５の音声出力は最大となる。
【００２０】
図２は、開閉調整板５を把手７により時計方向に所用角度回動させることにより、プレート１側の放音孔８を開閉調整板６で塞いだ状態を示したものであり、この状態では、スピーカ５の音出力は遮断され、外部には出力されない。
【００２１】
放音孔８が全開口した図1の状態と、開閉調整板８を回して、放音孔８が全遮断される図２の状態との間において、放音孔８の開口面積は、連続的に変化するため、通話状態において、適切な音量、音質になるように、開閉調整板８の回動角度を選択することができる。
【００２２】
図３は、左右方向に摺動できる方形の開閉調整板６Ａを有する第２の実施例を示したものである。
【００２３】
図の状態は、プレート１側の放音孔８Ａを複数の長孔で形成し、開閉調整板６Ａには、この放音孔８Ａ対になる長孔を有する透音孔９Ａを形成してある。
【００２４】
開閉調整板６Ａには、把手７Ａが突設されており、開閉調整板6Ａは、把手７Ａを掴んだ状態で、開閉調プレート1のガイド10に沿って左右にスライドさせることができる。
【００２５】
図３は、放音孔８Ａを全開口させた状態を示しており、左右にスライドさせることにより、開口面積を調整できる。
【００２６】
図４は、枢軸11で左右に枢動できる半円形の開閉調整板６Ｂであり、開閉調整板６Ｂは、図のように、プレート１に対してほぼ垂直の状態と、左側または右側に倒れた状態の３状態を保持できるようになっている。
【００２７】
垂直の状態において、放音孔８Ｂは全開口となり、左側または、右側に倒れた状態で、放音孔８Ｂの右側半分または左側半分だけが開口状態になる。
【００２８】
図５は、周縁に段付縁１３を有する放音孔８Ｃを備えた実施例を示すものであり、磁性を有する閉塞子１３で任意の放音孔８Ｃを着脱自在に閉塞できるようになっている。
【００２９】
図示の例では、放音孔８Ｃの右側の２個の放音孔を閉塞子１３で塞いだ状態を示し、
プレート１の下方には、予備の閉塞子１３を磁力により付着させてある。
【００３０】
閉塞子１３は、実施例では、気密性の素材で構成してあるが、必ずしも気密である必要はなく、適切な音響フィルター特性を持つ素材で構成することもできる。
【図面の簡単な説明】
【００３１】
【図１】本発明の第１の実施例を示すハンズフリー通話装置の外観図。
【図２】第１の実施例において、放音孔が塞がれた状態を示す外観図。
【図３】本発明の第２の実施例を示すハンズフリー通話装置の外観図。
【図４】本発明の第３の実施例を示すハンズフリー通話装置の外観図。
【図５】本発明の第４の実施例を示すハンズフリー通話装置の外観図。
【符号の説明】
【００３２】
１    プレート
２    マイク孔
３    呼出ボタン
４    呼出確認灯
５    スピーカ
６    開閉調整板
６Ａ  開閉調整板
６Ｂ  開閉調整板
７    把手
７Ａ  把手
８    放音孔
８Ａ  放音孔
８Ｂ  放音孔
９    透音孔
９Ａ  透音孔
１０    ガイド
１１    枢軸
【図１】
2006157587.tif 000003
【図２】
2006157587.tif 000004
【図３】
2006157587.tif 000005
【図４】
2006157587.tif 000006
【図５】
2006157587.tif 000007